(57)【要約】      （修正有）【課題】自動調光モジュールを交換可能に設置し、且つ周辺環境の照度に応じて光源の明るさの強度を調整して、明るさが均一になり、且つ電力を節約することができる自動調光モジュールを備えた省電力照明装置を提供する。【解決手段】省電力照明装置は、プリント基板１２のコネクタ１３を収容するための挿し込み溝を備える固定部材１０と、固定部材１０と組みあわせられ、且つプリント基板１２と電気的に接続する光源２０と、連接部３１とを備え、連接部３１を挿し込み溝に挿し込んで、連接部３１がコネクタ１３と電気的に接続する自動調光モジュール３０と、周辺環境の照度を感測して、感測信号を送信する光感測ユニット４０と、光感測ユニット４０及び連接部３１とそれぞれ電気的に接続され、感測信号を受信し、且つ感測信号と対応する駆動信号を生成し、光源が駆動信号によって、対応する照度の光を発する駆動制御ユニット５０と、を備える。【選択図】図１
0003186755.tif 000002
【実用新案登録請求の範囲】
【請求項１】
自動調光モジュールを備える省電力照明装置において、
挿し込み溝が設けられ、前記挿し込み溝にプリント基板のコネクタが収容される固定部材と、
前記固定部材と組み合わせられ、且つ前記プリント基板と電気的に接続される光源と、
連接部を備え、前記連接部を前記挿し込み溝に挿し込んで、前記連接部が前記コネクタと電気的に接続される自動調光モジュールと、
前記自動調光モジュールに設置され、且つ周辺環境の照度を感測して、感測信号を送信する光感測ユニットと、
前記自動調光モジュールの内部に設置され、且つ前記光感測ユニット及び前記連接部とそれぞれ電気的に接続され、前記感測信号を受信し、且つ前記感測信号と対応する駆動信号を生成して、前記光源が前記駆動信号によって、対応する照度の光を発する駆動制御ユニットと、を備えることを特徴とする自動調光モジュールを備えた省電力照明装置。
【請求項２】
前記光源はＬＥＤ照明灯具であり、前記駆動制御ユニットはＬＥＤ駆動制御ＩＣを備え、前記ＬＥＤ駆動制御ＩＣは、前記感測信号に対応する駆動信号を生成し、電流値によって前記光源を制御して、明るさを調整することを特徴とする請求項１に記載の自動調光モジュールを備えた省電力照明装置。
【請求項３】
前記自動調光モジュールを備える省電力照明装置は回路保護ユニットをさらに備え、前記回路保護ユニットは、前記自動調光モジュールの内部に設置されて、電流の異常、電圧の異常或いは前記光源が過熱した際、前記駆動制御ユニットと前記回路保護ユニットとの間に短絡を発生させることを特徴とする請求項１または２に記載の自動調光モジュールを備えた省電力照明装置。
【請求項４】
前記光源はＬＥＤ照明灯具であり、前記駆動制御ユニットはＬＥＤ駆動制御ＩＣを備え、前記ＬＥＤ駆動制御ＩＣは電流の異常、電圧の異常或いは前記光源が過熱した際、前記駆動制御ユニット及び前記プリント基板との間に短絡を発生させることを特徴とする請求項１から３のいずれか一項に記載の自動調光モジュールを備えた省電力照明装置。
【請求項５】
前記省電力照明装置は状態指示ユニットをさらに備え、前記状態指示ユニットは、前記自動調光モジュールに設置され、且つ前記光感測ユニット及び前記駆動制御ユニットと電気的に接続して、前記自動調光モジュールの正常或いは故障状態を知らせることを特徴とする請求項１から４のいずれか一項に記載の自動調光モジュールを備えた省電力照明装置。
【請求項６】
前記光感測ユニットは光依存性抵抗を備え、前記感測信号は、電流値或いは電圧値であることを特徴とする請求項１から５のいずれか一項に記載の自動調光モジュールを備えた省電力照明装置。
【考案の詳細な説明】
【技術分野】
【０００１】
本考案は、自動調光モジュールを備えた省電力照明装置に関し、特に周辺環境の照度を感測して照明の明るさを制御する自動調光モジュールを備えた省電力照明装置に関するものである。
【背景技術】
【０００２】
日常生活における一般の室内照明の環境照度は４００〜４５０ルーメン（Ｌｕｍｅｎ）であることが好ましく、事務室或いは会議室の環境照度は３００〜８００ルーメンであることが好ましく、商業施設の環境照度は１０００ルーメンであることが好ましい。一般の室内に設置されている照明装置は、固定照度を有する蛍光灯或いは電球である。しかし、昼間は太陽の光が照射されるので、例えば、室内における窓側に近い照明には高照度は必要ないため、調節しないと電気エネルギーの浪費である。つまり、室内照明が均一になるようにするには、異なる位置によって、異なる明るさの強度が求められる。
【０００３】
従来の感応照明装置は、赤外線光感測器によって照明光源のスイッチを制御する。例えば、廊下、階段等長い時間光を照射する必要がない場所に設置して、人が通っていない場合、照明の光源は作動しない。これにより、電力を節約することができる。しかし、感応照明装置は、照明あり、照明なし、或いは階段式（照明が徐々に暗くなるように設定された形式）によって照明を調整する形式である。つまり、感応照明装置は、明るい、真っ暗、或いは明るさを半分以下に調整する等非連続的に照度を調整する形式なので、光源のスイッチのオン、オフ或いは明るさを半分以下に調整することしかできない。従って、設置された複数の感応照明装置は、室内空間内における異なる環境照度によって、個別に感応照明装置の明るさを調整することができず、室内の照度を均一にすることはできない。また、従来の感応照明装置は、感応制御部材、蛍光灯、電球が共に取り付けられているため、この内１つの部品が損傷した場合、感応照明装置全体を交換しなければならないので、資源の無駄である。
【考案の概要】
【考案が解決しようとする課題】
【０００４】
以上の問題点に鑑みて、本考案は、自動調光モジュールを交換可能に設置し、且つ周辺環境の照度に応じて光源の明るさの強度を調整して、明るさが均一になり、且つ電力を節約することができる自動調光モジュールを備えた省電力照明装置を提供することを目的とする。
【課題を解決するための手段】
【０００５】
本考案の自動調光モジュールを備える省電力照明装置は、挿し込み溝が設けられ、この挿し込み溝にプリント基板のコネクタが収容される固定部材と、前記固定部材と組みあわせられ、且つプリント基板と電気的に接続する光源と、連接部とを備え、前記連接部を挿し込み溝に挿し込んで、連接部がコネクタと電気的に接続される自動調光モジュールと、自動調光モジュールに設置され、且つ周辺環境の照度を感測して、感測信号を送信する光感測ユニットと、自動調光モジュールの内部に設置され、且つ光感測ユニット及び連接部とそれぞれ電気的に接続され、感測信号を受信し、且つ感測信号と対応する駆動信号を生成し、光源が駆動信号によって、対応する照度の光を発する駆動制御ユニットと、を備える。
【考案の効果】
【０００６】
本考案に係る省電力照明装置は自動調光モジュールを備え、自動調光モジュールは、交換可能に取り付けられているので、容易に交換することができる。従って、省電力照明装置全体を交換する必要はなく、資源の浪費を防止し、環境を保護することができる。第一実施例及び第二実施例に係る省電力照明装置を使用する際、不均一な周辺環境の照度において、一部の省電力照明装置は自動的に明るさの強度を制御するので、ある環境照度が低い或いは照度が不均一な状況でも、一部の単一の光源の強度を制御して均一な明るさの光を作り出す。また、省電力照明装置は電力を節約し、環境を保護することができる。
【図面の簡単な説明】
【０００７】
【図１】本考案の第一実施例に係る自動調光モジュールを備えた省電力照明装置の分解斜視図である。
【図２】図１に示した省電力照明装置の自動調光モジュールを固定部材の挿し込み溝に挿し込んだ状態を示す斜視図である。
【図３】図２に示した省電力照明装置の断面図である。
【図４】本考案の第一実施例に係る省電力照明装置の自動調光モジュール及び光源の構造図である。
【図５】本考案の第二実施例に係る省電力照明装置の断面図である。
【図６】図５に示した省電力照明装置の自動調光モジュール及び光源の構造図である。
【図７】図１、図５に示した省電力照明装置を室内に設置した状態を示す図である。
【考案を実施するための形態】
【０００８】
以下、図面に基づいて、本考案に係る電子装置について詳細に説明する。
【０００９】
図１〜図４に示したように、本考案の第一実施例に係る自動的に光を調整する調光モジュールを備える省電力照明装置１は、周辺環境の明るさを感知し、それに対応して光源の照度を調整する。省電力照明装置１は、固定部材１０と、光源２０と、自動調光モジュール３０と、光感測ユニット４０と、駆動制御ユニット５０と、を備える。固定部材１０には挿し込み溝１１が設けられ、固定部材１０に設置されたプリント基板１２のコネクタ１３はこの挿し込み溝１１に収容される。光源２０は、固定部材１０と組み合わせられ、且つプリント基板１２と電気的に接続される。自動調光モジュール３０は、連接部３１を備え、連接部３１を挿し込み溝１１に挿し込んでコネクタ１３と電気的に接続する。光感測ユニット４０は、自動調光モジュール３０に設置され、周辺環境の照度１００を感測して感測信号Ｓ１を送信する（図４を参照）。駆動制御ユニット５０は、自動調光モジュール３０の内部に設置され、且つ光感測ユニット４０と連接部３１とにそれぞれ電気的に接続され、感測信号Ｓ１を受信し、且つ該感測信号Ｓ１と対応する駆動信号Ｓ２を生成する。光源２０は、駆動信号Ｓ２によって対応する照度の光を発する。
【００１０】
本考案の第一実施例に係る省電力照明装置１の光源２０は、ＬＥＤ照明灯具（例えば、ＬＥＤモジュールを備えたＬＥＤ灯管或いはＬＥＤ電球である）である。ＬＥＤは電流によって駆動する光電部品であり、駆動電圧値或いは電流値によって発せられる光の明るさは異なる。駆動制御ユニット５０はＬＥＤ駆動制御ＩＣ（図示せず）を備え、ＬＥＤ駆動制御ＩＣは感測信号Ｓ１に対応する駆動信号Ｓ２を生成し、電流値によって光源２０を制御して明るさを調整する。
【００１１】
例えば、駆動制御ユニット５０はＡＰ１９０９のＬＥＤ駆動制御ＩＣを備え、光感測ユニット４０は光依存性抵抗（ＬＤＲ）を備え、ＬＥＤ駆動制御ＩＣは複数のピンを備える。前記複数のピンはそれぞれ別の機能を有し、例えば、電圧源ピン、ＬＥＤ光源ピン、アースピン、外部の駆動ＭＯＳＦＥＴピン、ＰＷＭ調光を入力するピン、論理回路の内部電圧源を入力するピン、線性（ｌｉｎｅａｒ）調光を入力するピン及び外部抵抗の周波数を制御するピン等である。光感測ユニット４０の光依存性抵抗は、線性調光を入力するピンと電気的に接続される。光感測ユニット４０の光依存性抵抗は、周辺環境の照度１００によって異なる電流値の感測信号Ｓ１を送信し、該感測信号Ｓ１を、駆動制御ユニット５０のＬＥＤ駆動制御ＩＣに送信し、ＬＥＤ駆動制御ＩＣは該感測信号Ｓ１によって、異なる電圧値の駆動信号Ｓ２を送信する。これにより、光源２０は異なる明るさの光を発し、且つ周辺環境の明るさに応じて照明を調整して全体の明るさを均一にする。また、省電力照明装置１の回路或いは採用する電子部品は、前記実施形態に限定されるものではなく、実際の要求及び実際に採用する電子部品によって変更することができる。
【００１２】
本考案の第一実施例に係る省電力照明装置１は、着脱可能に設置された自動調光モジュール３０を備え、自動調光モジュール３０の内部に設置された光感測ユニット４０及び駆動制御ユニット５０を介して独立している（つまり、自動調光モジュール３０が固定部材１０から取り外された状態）蛍光灯管或いは電球等の単一光源の明るさを制御する。
【００１３】
本実施形態において、省電力照明装置１は回路保護ユニット６０をさらに備え、回路保護ユニット６０は自動調光モジュール３０の内部に設置されて、電流の異常、電圧の異常、或いは光源２０が過熱した際、駆動制御ユニット５０と回路保護ユニット６０との間に短絡を発生させて光源２０が損傷することを防止する。本実施形態において、回路保護ユニット６０はヒューズであり、回路を保護し、過電流が光源２０に流れて光源２０が損傷することを防止する。
【００１４】
本実施形態において、省電力照明装置１は状態指示ユニット７０をさらに備え、状態指示ユニット７０は、自動調光モジュール３０に設置され、且つ光感測ユニット４０及び駆動制御ユニット５０と電気的に接続されて、自動調光モジュール３０の正常或いは故障状態を知らせる。例えば、状態指示ユニット７０はＬＥＤ指示灯（図示せず）を備え、ＬＥＤ指示灯が表す色によって、自動調光モジュール３０の内部に設置されている光感測ユニット４０、駆動制御ユニット５０或いは他の回路部品が正常に作動する状態か或いは故障している状態かをユーザーに知らせる。これにより、ユーザーは、自動調光モジュール３０を修理或いは交換することができる。
【００１５】
本考案の第一実施例に係る省電力照明装置１の自動調光モジュール３０は、薄片状或いは平板状を呈している。また、チップは挿し込み式なのでユーザーは取り付けやすい。自動調光モジュール３０を固定部材１０の挿し込み溝１１に挿し込んで、省電力照明装置１を周辺環境によって自動的に調光させる。また、光源２０が損傷しにくいＬＥＤ照明灯具であるのに対し、自動調光モジュール３０は交換可能な部品であるので、損傷した自動調光モジュール３０のみを交換するだけで良く、全体省電力照明装置１を交換する必要がないので、資源の浪費を防止することができる。
【００１６】
図５〜図６に示したように、本考案の第二実施例に係る省電力照明装置２の駆動制御ユニット５０’はＬＥＤ駆動制御ＩＣを備え、ＬＥＤ駆動制御ＩＣは、電流の異常、電圧の異常或いは光源２０が過熱した際、駆動制御ユニット５０’及びプリント基板１２との間に短絡を発生させて光源２０が損傷することを防止する。なお、第一実施例及び第二実施例の駆動制御ユニット（ＬＥＤ駆動制御ＩＣ）を組み合わせてもよい。
【００１７】
本考案の第一実施例及び第二実施例に係る省電力照明装置１、２は、過電流の異常によって光源２０が損傷することを防止する。例えば、給電電圧の異常、プリント基板の電子部品或いは回路に発生した短絡、複数のＬＥＤユニットの中の１つ或いは一部の損傷によって発生した短絡によって発生した電圧或いは電流に異常がある際、光源２０が損傷することを防止する。また、省電力照明装置１、２は、光源２０が過熱して損傷することを防止して、ＬＥＤが熱に敏感である特性によってＬＥＤの機能を低下させることを防止するので、第一実施例及び第二実施例に係る省電力照明装置１、２は、耐久性を有し、且つ使用寿命が長い。
【００１８】
図１〜図４及び図７に示したように、本考案の第一実施例に係る各省電力照明装置１は、窓２００を備えた室内空間に設置され、光感測ユニット４０によって周辺環境の照度１００を感測し、駆動制御ユニット５０によって、各省電力照明装置１の光源２０の明るさを制御する。例えば、昼には太陽光が照射するので、窓２００に近い周辺環境の照度１００は強く、窓２００に近い省電力照明装置１の照度１００は、窓２００と離れている省電力照明装置１の照度１００より低い。つまり、全ての省電力照明装置１は、昼の太陽光が照射する強度を感測して、窓２００に近い省電力照明装置１が自動的に明るさを調整して、室内環境において、十分に、且つ均一な明るさを提供する。これにより、従来の蛍光灯に使用される電力の半分以上の電力を節約することができる。
【００１９】
また、本考案の第一実施例及び第二実施例に係る省電力照明装置１、２は、自動調光モジュール３０を備え、自動調光モジュール３０は、交換可能に取り付けられているので、容易に交換することができる。従って、省電力照明装置１全体を交換する必要はなく、資源の浪費を防止し、環境を保護することができる。第一実施例及び第二実施例に係る省電力照明装置１、２を使用する際、不均一な周辺環境の照度１００において、一部の省電力照明装置１、２は自動的に明るさの強度を制御するので、ある環境照度が低い或いは照度が不均一な状況でも、一部の単一の光源２０の強度を制御して均一な明るさの光を作り出す。また、省電力照明装置１、２は電力を節約し環境を保護することができる。
【００２０】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、言うまでもない。
【符号の説明】
【００２１】
１    省電力照明装置
１０  固定部材
１１  挿し込み溝
１２  プリント基板
１３  コネクタ
２０  光源
３０  自動調光モジュール
３１  連接部
４０  光感測ユニット
５０、５０’  駆動制御ユニット
６０  回路保護ユニット
７０  状態指示ユニット
１００  照度
２００  窓
Ｓ１  感測信号
Ｓ２  駆動信号
【図１】
0003186755.tif 000003
【図２】
0003186755.tif 000004
【図３】
0003186755.tif 000005
【図４】
0003186755.tif 000006
【図５】
0003186755.tif 000007
【図６】
0003186755.tif 000008
【図７】
0003186755.tif 000009